【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
第１データ処理手段の動作環境として動作する第１動作環境処理手段と、
第２データ処理手段の動作環境として動作すると共に、上記第１動作環境処理手段と排他的に動作する第２動作環境処理手段とを備えた情報処理装置において、
上記両動作環境処理手段の双方からアクセス可能なメッセージ記憶手段と、
上記第１動作環境処理手段または第１データ処理手段に設けられ、上記第２動作環境処理手段または第２データ処理手段の動作を示すメッセージを生成して、上記メッセージ記憶手段へ格納するメッセージ生成手段と、
上記第２動作環境処理手段または第２データ処理手段に設けられ、上記メッセージ記憶手段に格納されたメッセージの示す動作を、上記第２動作環境処理手段または第２データ処理手段に行わせるメッセージ処理手段とを備えていることを特徴とする情報処理装置。
【請求項２】
第１データ処理手段の動作環境として動作する第１動作環境処理手段と、
第２データ処理手段の動作環境として動作すると共に、上記第１動作環境処理手段と排他的に動作する第２動作環境処理手段とを備えた情報処理装置において、
上記両動作環境処理手段の双方からアクセス可能なメッセージ記憶手段と、
上記第１動作環境処理手段または第１データ処理手段に設けられ、上記第２動作環境処理手段における動作権限を指示するメッセージを生成して、上記メッセージ記憶手段へ格納するメッセージ生成手段と、
上記第２動作環境処理手段の動作権限を、上記メッセージ記憶手段に格納されたメッセージの示す動作権限へ変更する動作権限変更手段とを備えていることを特徴とする情報処理装置。
【請求項３】
上記動作権限には、上記第２動作環境処理手段の起動自体ができない権限も含まれていることを特徴とする請求項２記載の情報処理装置。
【請求項４】
上記メッセージ生成手段は、上記第１動作環境処理手段の動作開始後、予め定められた時間が経過するまでの間のみ、メッセージを生成することを特徴とする請求項２記載の情報処理装置。
【請求項５】
上記メッセージ生成手段は、現在の時点が、予め定められた時点の条件を満たしている場合にのみ、メッセージを生成することを特徴とする請求項２記載の情報処理装置。
【請求項６】
上記メッセージ生成手段は、上記第１データ処理手段への操作、および、他の装置と通信する通信手段が受信したデータの少なくとも一方が、予め定められたシーケンスに該当場合に、予め定められたメッセージを生成することを特徴とする請求項２記載の情報処理装置。
【請求項７】
上記メッセージ生成手段は、上記第２動作環境処理手段または第２データ処理手段の動作を示すメッセージを生成して、上記メッセージ記憶手段へ格納可能であり、
さらに、上記第２動作環境処理手段または第２データ処理手段に設けられ、上記メッセージ記憶手段に格納されたメッセージの示す動作を、上記第２動作環境処理手段または第２データ処理手段に行わせるメッセージ処理手段が設けられていることを特徴とする請求項２記載の情報処理装置。
【請求項８】
上記第１動作環境処理手段が終了することを検知する終了検知手段と、
上記終了検知手段が終了を検知した場合、上記メッセージ記憶手段にメッセージが格納されているか否かを判定すると共に、格納されている場合、上記第１動作環境処理手段の終了後に動作を開始するように、上記第２動作環境処理手段へ指示する起動制御手段とを備えていることを特徴とする請求項１または２に記載の情報処理装置。
【請求項９】
上記第２動作環境処理手段、および、それに対応するメッセージ処理手段は、複数設けられており、当該各第２動作環境処理手段が互いに排他的に動作すると共に、
上記メッセージ生成手段は、優先度の付加されたメッセージを生成して、上記複数の第２動作環境処理手段のうち、当該メッセージを処理すべき第２動作環境処理手段に対応付けて格納し、
さらに、上記第１動作環境処理手段が終了することを検知する終了検知手段と、
上記終了検知手段が終了を検知した場合、上記メッセージ記憶手段に格納されているメッセージのうち、最も高い優先度が付加されたメッセージを決定すると共に、上記第１動作環境処理手段の終了後に動作を開始するように、上記複数の第２動作環境処理手段のうち、当該メッセージを処理すべき第２動作環境処理手段へ指示する起動選択手段とが設けられていることを特徴とする請求項１または２に記載の情報処理装置。
【請求項１０】
上記メッセージ生成手段は、優先度の付加されたメッセージを生成すると共に、
上記メッセージ処理手段は、上記メッセージ記憶手段に複数のメッセージが格納されている場合、より高い優先度の付加されたメッセージから順番に、メッセージを処理することを特徴とする請求項１または７記載の情報処理装置。
【請求項１１】
上記メッセージ生成手段は、上記動作の対象となるデータを含むメッセージを生成することを特徴とする請求項１または７記載の情報処理装置。
【請求項１２】
上記各動作環境処理手段からアクセス可能な共有記憶手段を備え、
上記メッセージ生成手段は、上記共有記憶手段に格納されたデータであって、上記動作の対象となるデータを参照するための参照情報を含むメッセージを生成することを特徴とする請求項１または７記載の情報処理装置。
【請求項１３】
上記各動作環境処理手段からアクセス可能な共有記憶手段を備え、
上記メッセージ生成手段は、上記共有記憶手段に格納されていないデータを参照するための参照情報を含むメッセージの生成が指示された場合、当該データを上記共有記憶手段へ格納すると共に、当該共有記憶手段に格納されたデータであって、上記動作の対象となるデータを参照するための参照情報を含むメッセージを生成することを特徴とする請求項１または７記載の情報処理装置。
【請求項１４】
上記第２動作環境処理手段、および、それに対応するメッセージ処理手段は、複数設けられており、当該各第２動作環境処理手段が互いに排他的に動作すると共に、
上記メッセージ生成手段は、上記動作の対象となるデータの型に基づいて、上記複数の第２動作環境処理手段のうち、当該データを参照するための参照情報を含むメッセージを処理すべき第２動作環境処理手段を決定し、上記複数の第２動作環境処理手段のうち、当該メッセージを処理すべき第２動作環境処理手段に対応付けて、当該メッセージを格納することを特徴とする請求項１２または１３記載の情報処理装置。
【請求項１５】
上記メッセージ生成手段は、実行条件を付加したメッセージを生成可能であり、
上記メッセージ処理手段または動作権限変更手段は、実行条件が付加されたメッセージが上記メッセージ記憶手段に格納されている場合、実行条件が満たされていないメッセージを無視することを特徴とする請求項１または２記載の情報処理装置。
【請求項１６】
上記メッセージ生成手段は、予め定められた時間、入力装置が操作されなかったことに基づいてメッセージを生成することを特徴とする請求項１または２記載の情報処理装置。
【請求項１７】
上記情報処理装置は、放送を受信する受信手段を備えていることを特徴とする請求項１または２に記載の情報処理装置。
【請求項１８】
第１データ処理手段の動作環境として動作する第１動作環境処理手段と、第２データ処理手段の動作環境として動作すると共に、上記第１動作環境処理手段と排他的に動作する第２動作環境処理手段と、上記両動作環境処理手段の双方からアクセス可能なメッセージ記憶手段とが設けられたコンピュータを、
上記第１動作環境処理手段または第１データ処理手段に設けられ、上記第２動作環境処理手段または第２データ処理手段の動作を示すメッセージを生成して、上記メッセージ記憶手段へ格納するメッセージ生成手段、並びに、
上記第２動作環境処理手段または第２データ処理手段に設けられ、上記メッセージ記憶手段に格納されたメッセージの示す動作を、上記第２動作環境処理手段または第２データ処理手段に行わせるメッセージ処理手段として動作させるプログラム。
【請求項１９】
第１データ処理手段の動作環境として動作する第１動作環境処理手段と、第２データ処理手段の動作環境として動作すると共に、上記第１動作環境処理手段と排他的に動作する第２動作環境処理手段と、上記両動作環境処理手段の双方からアクセス可能なメッセージ記憶手段とが設けられたコンピュータを、
上記第１動作環境処理手段または第１データ処理手段に設けられ、上記第２動作環境処理手段における動作権限を指示するメッセージを生成して、上記メッセージ記憶手段へ格納するメッセージ生成手段、並びに、
上記第２動作環境処理手段の動作権限を、上記メッセージ記憶手段に格納されたメッセージの示す動作権限へ変更する動作権限変更手段として動作させるプログラム。